(57)【要約】【課題】  過電流が流れた場合に回路の破損を防止し、安全性を確保し、安定してナノサイズの帯電微粒子水を浴室内に放出して臭いの除去とカビの発生防止をする。【解決手段】  液印加電極２７と、液印加電極２７との間に高電圧を印加してナノサイズの帯電微粒子水を発生させるための浴室１に配設される浴室用静電霧化装置である。液印加電極２７と対向電極２６との間で過電流が発生した際に過電流を検出する過電流検知手段５０を設ける。過電流検知手段５０で過電流を検出した際に、高電圧発生部４０の電流出力を低下させるための出力低下手段５１を設ける。【選択図】      図１
2005224730.tif 000002
【特許請求の範囲】
【請求項１】
液溜め部より液を搬送する多数の細径孔を有する多孔質材からなる搬送部と、搬送部による液の搬送方向に対向するように配置された対向電極と、液溜め部から搬送部の対向電極側先端に至る経路中の液に電圧を印加するための液印加電極と、液印加電極と対向電極との間に高電圧を印加する高電圧発生部とを有して液印加電極と対向電極との間に高電圧を印加してナノサイズの帯電微粒子水を発生させるための浴室に配設される浴室用静電霧化装置であって、液印加電極と対向電極との間で過電流が発生した際に過電流を検出する過電流検知手段を設け、過電流検知手段で過電流を検出した際に、高電圧発生部の電流出力を低下させるための出力低下手段を設けて成ることを特徴とする浴室用静電霧化装置。
【請求項２】
過電流検知手段により過電流を検知して出力低下手段により高電圧発生部の電流出力を一時的に所定時間停止し、所定時間経過後に再び高電圧発生部から所定の電流を出力して成ることを特徴とする請求項１記載の浴室用静電霧化装置。
【発明の詳細な説明】
【技術分野】
【０００１】
本発明は、静電霧化で生じたナノサイズの帯電微粒子水（ナノサイズのミスト）により浴室内におけるカビの発生を防止し且つ脱臭をするための浴室用静電霧化装置に関するものである。
【背景技術】
【０００２】
従来から浴室内におけるカビの発生を抑制するために、浴室に放電によりイオンを発生させるためのイオン発生装置を配置し、イオン発生装置で発生させたイオンを浴室空間に放出してカビの繁殖を防止するようにしたものが、例えば、特許文献１により知られている。
【０００３】
上記従来例にあっては、浴室内にイオンを放出するものであるから、イオンは滞空時間が長くても数分（２〜３分）であって、イオンによる浴室内におけるカビ発生の抑制効果が十分であるとは言えない。つまり、浴室内に放出されたイオンは水を伴っていないので空気中の他の物質とすぐ結合して別の物に変わったり、自然消滅してしまうものであり、このため、浴室内に浮遊するカビの胞子を顕著に減らすことができず、この結果、浴室の壁や床に付着した水や湯の近傍でカビが繁殖するのを十分に防ぐことができないという問題がある。
【０００４】
また、上記従来例においては、イオン発生装置を浴室において運転しているので、イオン発生部に結露が発生していたり、あるいは水がかかって濡れていたりしている場合が多く、過電流が流れ、放電が安定しないだけでなく、回路を破損したり、あるいは安全上でも問題がある。
【特許文献１】特開２００３−１５６２２０号公報
【発明の開示】
【発明が解決しようとする課題】
【０００５】
本発明は上記の従来の問題点に鑑みて発明したものであって、電極部分に結露が発生したり、水がかかって濡れたりして過電流が流れた場合には、高電圧発生部の電流出力を低下させて、回路の破損を防止し、安全性を確保し、安定して静電霧化装置を運転してナノサイズの帯電微粒子水を浴室内に放出して効果的に浴室内における臭いの除去とカビの発生防止ができる浴室用静電霧化装置を提供することを課題とするものである。
【課題を解決するための手段】
【０００６】
上記課題を解決するために本発明に係る浴室用静電霧化装置は、液溜め部２４より液を搬送する多数の細径孔を有する多孔質材からなる搬送部２５と、搬送部２５による液の搬送方向に対向するように配置された対向電極２６と、液溜め部２４から搬送部２５の対向電極２６側先端に至る経路中の液に電圧を印加するための液印加電極２７と、液印加電極２７と対向電極２６との間に高電圧を印加する高電圧発生部４０とを有して液印加電極２７と対向電極２６との間に高電圧を印加してナノサイズの帯電微粒子水を発生させるための浴室に配設される浴室用静電霧化装置であって、液印加電極２７と対向電極２６との間で過電流が発生した際に過電流を検出する過電流検知手段５０を設け、過電流検知手段５０で過電流を検出した際に、高電圧発生部４０の電流出力を低下させるための出力低下手段５１を設けて成ることを特徴とするものである。
【０００７】
このような構成とすることで、液印加電極２７と対向電極２６間に過電流が流れると、過電流検知手段５０により過電流を検知し、過電流検知手段５０による過電流の検知に基いて出力低下手段５１により高電圧発生部４０からの電流出力を低下させるようになっており、これにより回路の破損を防止し、安全性を確保するようになっている。
【０００８】
また、過電流検知手段５０により過電流を検知して出力低下手段５１により高電圧発生部４０の電流出力を一時的に所定時間停止し、所定時間経過後に再び高電圧発生部４０から所定の電流を出力することが好ましい。
【０００９】
このような構成とすることで、過電流検出手段５０により過電流を検出すると出力低下手段５１により高電圧発生部４０からの電流出力を一時的にゼロまで低下させて所定時間停止し、所定時間経過することで電極部分が乾燥されて過電流が流れる条件が除去されると見なして自動的に高電圧発生部４０から所定の電流を出力することで、自動的に液印加電極２７と、液印加電極２７との間に高電圧を印加してナノサイズの帯電微粒子水を発生させて浴室１内に放出して、脱臭、カビの発生防止を図る事ができる。
【発明の効果】
【００１０】
本発明は、液印加電極と対向電極間に過電流が流れると、過電流検知手段により過電流を検知し、過電流検知手段による過電流の検知に基いて出力低下手段により高電圧発生部からの電流出力を低下させるようになっており、これにより回路の破損を防止し、安全性を確保することができ、水が直接かかったり、湿度が高いという浴室に設置される浴室用静電霧化装置であると言えども、安定してナノサイズの帯電微粒子水を発生させて浴室内に放出して、脱臭、カビの発生防止を図る事ができるものである。
【発明を実施するための最良の形態】
【００１１】
以下、本発明を添付図面に示す実施形態に基いて説明する。
【００１２】
浴室１には静電霧化装置２が配設してあり、静電霧化装置２は例えば浴室１の壁１０に取付けてあるが、浴室１内にナノサイズの帯電微粒子水（ナノサイズのミスト）を浴室内に放出できれば特に、壁１０に取付けるもののみに限定されない。また、本発明においては静電霧化装置２を乾燥させるための乾燥手段３が設けてあるが、この乾燥手段３としては、浴室１に備えられている換気装置５が乾燥手段３を構成する場合、あるいは静電霧化装置２にヒータや温風発生装置を設けてこれらヒータや温風発生装置により乾燥手段３を構成する場合とがある。いずれにしても、静電霧化装置２の運転は乾燥手段３の運転よりも遅延して運転開始されるように制御されるものであり、乾燥手段３により静電霧化装置２を乾燥した後に、静電霧化装置２の運転が行なわれるようになっている。
【００１３】
図２乃至図６には静電霧化装置２が示してあり、この静電霧化装置２は図４に示すように本体ケース１１、本体ケース１１を覆う化粧カバー１２、化粧カバー１２に設けた放電ユニット嵌め込み用開口部２１から本体ケース１１に着脱自在に嵌め込まれる放電ユニット１４により構成してある。
【００１４】
本体ケース１１は前面上部が放電ユニット１４を嵌め込んで保持するための放電ユニット嵌め込み部１５となり、前面下部が高電圧を印加するための高電圧発生部４０や制御部４を内装した収納部１６となっており、この収納部１６は密閉構造となっており、外部から内部に水が浸入しないようになっている。収納部１６の前面には静電霧化装置２の電源を手でオン、オフするための電源スイッチ１７が設けてある。放電ユニット嵌め込み部１５の奥部の両側にはそれぞれ高電圧発生部４０に接続してある本体側端子部１９、２０が設けてある。また、本体ケース１１の放電ユニット嵌め込み部１５の奥に対応する部分には高電圧発生部４０から高電圧を供給したり、供給を停止したりするためのリードスイッチ４１が設けてあって、該リードスイッチ４１は外部からの水の浸入がないように本体ケース１１内に水密的に内装してある。
【００１５】
化粧カバー１２は本体ケース１１の前面部を覆うように本体ケース１１に取付けられるものであり、化粧カバー１２の前面上部には放電ユニット嵌め込み部１５と連通する放電ユニット嵌め込み用開口部２１が設けてあり、更に、化粧カバー１２の前面下部には電源スイッチ１７が露出するための開口２２が設けてある。また、化粧カバー１２の上面部には放出口２３が設けてある。
【００１６】
放電ユニット１４は、図３乃至図６に示すように、水のような液を溜める液溜め部２４と、液溜め部２４より液を搬送する多孔質材からなる搬送部２５と、搬送部２５による液の搬送方向に対向するように配置された対向電極２６と、液溜め部２４から搬送部２５の対向電極２６側先端に至る経路中の液に電圧を印加するための液印加電極２７と、対向電極２６、液印加電極２７にそれぞれ接続されたユニット側端子部２８、２９と、前カバー板３０とで構成してある。
【００１７】
ここで、上記放電ユニット１４は図３（ｂ）に示すように、前カバー板３０を前面に設けた水のような液を溜めるための液溜め部２４となる容器と、ユニット本体１８とに分離出きるように構成してある。
【００１８】
前カバー板３０は液溜め部２４を構成する容器の前面に設けてあり、該前カバー板３０には液溜め部２４内の液面を目視で確認するための液面確認用窓３１が設けてあり、更に前カバー板３０の上部には前面通気用開口部３２が設けてある。また、液溜め部２４を構成する容器の後側面部には磁石４４が内装してある。
【００１９】
ユニット本体１８の主体は絶縁部材により形成してあり、この絶縁部材により構成したユニット本体１８にカーボンのような導電材を混入した合成樹脂やＳＵＳのような金属で形成した対向電極２６、液印加電極２７を装着してこの対向電極２６や液印加電極２７の周囲を上記ユニット本体１８を構成する絶縁材料で覆ってあり、該絶縁材料の一部に上記ユニット側端子部２８やユニット側端子部２９が露出している。また、搬送部２５は多孔質セラミック、多孔質金属等の多孔質材で棒状に形成してあり、棒状の搬送部２５の上端は針状に尖った針状霧化部となっている。この棒状の搬送部２５は、１乃至複数本液印加電極２７に取付けられ、搬送部２５の上部が液印加電極２７よりも上方に突出し、下部が液印加電極２７から下方に突出して上記液溜め部２４内に入れられた液と接触するようになっている。そして、ユニット本体１８を液溜め部２４に着脱自在に取付けることができるようになっており、図３（ａ）のように放電ユニット１４を放電ユニット嵌め込み部１５から取外した状態で、図３（ｂ）のようにユニット本体１８を液溜め部２４から取り外すことで液溜め部２４に水のような液を入れることができるようになっている。
【００２０】
上記のような構成の放電ユニット１４は図２のように化粧カバー１２の放電ユニット嵌め込み用開口部２１から放電ユニット嵌め込み部１５に嵌め込んで取付けるものであり、嵌め込んで取付けた状態で、放電ユニット嵌め込み部１５の奥部の両側にはそれぞれ設けられた本体側端子部１９、２０に放電ユニット１４の両側に設けたユニット側端子部２８、２９が電気的に接続されると共に、液溜め部２４を構成する容器の後側面部に設けた磁石４４により本体ケース１１の放電ユニット嵌め込み部１５の奥部に対応する位置に設けたリードスイッチ４１がオンとなって高電圧発生部４０から高電圧が発生可能な状態となる。一方、放電ユニット嵌め込み部１５から放電ユニット１４を取り外すと、リードスイッチ４１がオフになって高電圧発生部４０から高電圧の発生が停止されるようになっており、これにより、放電ユニット１４を取り外した状態で、放電ユニット嵌め込み部１５内の奥部にある本体側端子部１９、２０に指を触れたり、他の物を差し入れて触れたりしても感電などの危険がないようようにしてある。
【００２１】
高電圧発生部４０から高電圧が供給されて対向電極２６と液印加電極２７に高電圧が印加されると、多孔質材で形成されている搬送部２５が毛細管現象により液溜め部２４に入れてある液を吸い上げている時、搬送部２５の上端の針状霧化部が液印加電極２７側の実質的な電極として機能する。高電圧発生部４０は、低電圧電流（例えば５〜３０ｖ）を高電圧電流（例えば、３〜７ｋｖ）に昇圧するようになっている。
【００２２】
そして、高電圧発生部４０により実質的な電極として機能する搬送部２５の上端と対向電極２６との間に高電圧を印加することで、搬送部２５の先端の針状部に達した水はここでレイリー分裂を起こしてナノメータサイズの粒子径のミスト（例えば１０〜３０ナノメータ）となる霧化を生じさせる静電霧化がなされ、化粧カバー１２の上面部の放出口２３から浴室１内に放出される。このようにして発生して浴室１内に放出された帯電微粒子水（ナノサイズのミスト）はラジカルを含有する上に粒子径がナノメータサイズであるために、空気中に放出された時の寿命が長くて拡散性が大であり、浴室１内の壁面、あるいは、浴室１内の入浴用品、シャワーヘッド、シャワーホース、腰掛けなどの付着臭いを効率良く且つ効果的に消臭することができ、また、細菌、カビ菌、ウイルスなどに対しても効果的に作用し、不活性化することができ、特に、浴室１内における空気中及び壁等に付着したカビの除去及び抗カビ効果という作用があり、浴室１内におけるカビの発生を効果的に防止することができる。ここで、静電霧化装置２により発生するナノサイズのミストを浴室１に放出する本発明においては、従来のイオン発生装置により発生したイオンを浴室１に放出するものに比べて、滞空時間が１５分〜３０分程度と長く、浴室１内の隅々までナノサイズのミストが拡散し飛散して、浴室１内における脱臭、カビ発生防止を効果的に行なうことができるようになっている。
【００２３】
上記のようにして浴室１内において、上記のように静電霧化装置２によりナノサイズのミストを発生させるに当たり、先行して乾燥手段３により静電霧化装置２の乾燥を行ない、浴室１内に設置した静電霧化装置２の乾燥後に静電霧化装置２による上記のようなナノサイズのミスト発生の運転を行うことで、浴室１内に配設する静電霧化装置２の運転に当たって、液印加電極２７と対向電極２６との間で過電流が発生しないようにして、安全且つ安定してナノサイズのミストを発生させるようになっているのであるが、静電霧化装置２を配置している浴室１内においては静電霧化装置２にシャワー等の水がかかったり、高湿度のため結露が生じたりする恐れがあり、液印加電極２７と対向電極２６との間に高電圧を印加した際に過電流が発生するおそれがある。
【００２４】
このため本発明においては、高電圧発生部４０に液印加電極２７と対向電極２６との間で過電流が発生した際に過電流を検出する過電流検知手段５０を設け、また、制御部４に過電流検知手段５０で過電流を検出した際に、高電圧発生部４０の電流出力を低下させるための出力低下手段５１を設けてある。
【００２５】
すなわち、液印加電極２７と対向電極２６間に過電流が流れると、過電流検知手段５０により過電流を検知し、過電流検知手段５０による過電流の検知に基いて出力低下手段５１により高電圧発生部４０からの電流出力を低下させるものであり、これにより回路の破損を防止し、安全性を確保するのである。
【００２６】
ここで、過電流検知手段５０により過電流を検知して出力低下手段５１により高電圧発生部４０の電流出力を低下させるに当たって、過電流検出手段５０により過電流を検出すると出力低下手段５１により高電圧発生部４０からの電流出力を一時的にゼロまで低下させて所定時間停止するようにしてもよい。この場合、過電流の検知結果に基いて出力低下手段５１により高電圧発生部４０からの電流出力を一時的に所定時間ゼロまで低下させることにより、上記所定時間経過することで電極部分が乾燥されて過電流が流れる条件が除去されると見なして（つまり、結露水等が無くなったと見なし）自動的に高電圧発生部４０から所定の電流を出力することで、自動的に液印加電極２７と、液印加電極２７との間に高電圧を印加してナノサイズの帯電微粒子水を発生させて浴室１内に放出して、脱臭、カビの発生防止を図るようになっている。この場合、上記所定時間高電圧発生部４０から電流出力をゼロにした後、再び高電圧発生部４０から所定の電流を出力した際、過電流検知手段５０で過電流を検知すると、直ちに過電流の検知に基いて出力低下手段５１により高電圧発生部４０からの電流出力を一時的に所定時間停止し、所定時間経過後に再び高電圧発生部４０から所定の電流を出力するということを繰り返す。
【００２７】
次に、乾燥手段３について詳述する。
【００２８】
図１に示す実施形態においては、乾燥手段３としては浴室１に備えられている換気装置５で乾燥手段３を構成した例を示している。
【００２９】
換気装置５は、浴室１の天井部に取付けられ、該換気装置５は図８に示すように、浴室１からの排気が入る流入部３３と、換気装置５に流入した排気を外部（屋外）に排気するための排気部３４と、換気装置５に流入した排気の一部を浴室１内に返送するための返送部３５と、流入部３３から換気装置５内に流入した排気を全部排気部３４に排気するか、流入部３３から換気装置５内に流入した排気の一部を排気部３４に排気すると共に他の一部を返送部３５から浴室１内に再び戻すように切換えるための切換え部３６と、ファン３７、返送される排気の一部を加熱自在とした加熱手段６と、ファン３７の制御や切換え部３６の切換え制御や加熱手段６の制御を行うための換気装置用制御部３８とを備えている。
【００３０】
該換気装置５は、少なくとも、カビシャット運転モード、乾燥運転モード、連続換気単独運転モードを有している。カビシャット運転モードには、図９に示すように、静電霧化装置２の電源スイッチ１７がオンとなっている場合に換気装置５と静電霧化装置２とが連動して運転されるカビシャット連動運転モードと、静電霧化装置２の電源スイッチ１７がオフとなっている場合に換気装置５のみが単独で運転されるカビシャット単独運転モードがある。また、乾燥運転モードには、図１０に示すように、静電霧化装置２の電源スイッチ１７がオンとなっている場合に換気装置５と静電霧化装置２とが連動して運転される乾燥連動運転モードと、静電霧化装置２の電源スイッチ１７がオフとなっている場合に換気装置５のみが単独で運転される乾燥単独運転モードがある。また、連続換気単独運転モードは、静電霧化装置２の電源スイッチ１７のオン、オフに関係なく換気装置５のみが単独で連続運転するモードである。
【００３１】
脱衣室３９にはリモコン装置７が設けてあり、該リモコン装置７と換気装置５とは図７に示すように、通信を行うための有線の通信路でつながっており、該通信路の途中に、静電霧化装置２の制御部４が接続してある。この制御部４には図７に示すように高電圧発生部４０、リードスイッチ４１、電源スイッチ１７、ＬＥＤ表示部等が接続してある。
【００３２】
制御部４には信号遮断／通過回路８ａ、信号出力回路８ｂよりなる信号経路切換え手段８が設けてある。すなわち、リモコン装置７と換気装置５とを接続する通信路は、リモコン装置７と換気装置５との間で通信を行うために常時且つ静電霧化装置２に関係なくつながっているが、静電霧化装置２の制御部４に設けたマイコン４ａからリモコン装置７に信号を伝える際だけ信号経路切換え手段８により換気装置５からのリモコン装置７への通信を一時的に遮断して静電霧化装置２からリモコン装置７に信号を送るように構成してある。静電霧化装置２の制御部４に設けたマイコン４ａからリモコン装置７に信号を伝えない時は、リモコン装置７と換気装置５との間で通信を行うために常時且つ静電霧化装置２に関係なくリモコン装置７と換気装置５とがつながっており、したがって、例えば、施工上の問題や故障等により静電霧化装置２の電源が遮断されている場合や、静電霧化装置２の制御部４側の通信回路が故障していたり、あるいは静電霧化装置２の電源スイッチ１７がオフとなっている時、静電霧化装置２側に関係なく、信号経路切換え手段８はリモコン装置７と換気装置５との間で信号がやり取りできるように接続され、リモコン装置７により換気装置５の単独運転が可能となっている。
【００３３】
そして、静電霧化装置２の制御部４に設けたマイコン４ａにはリモコン装置７と換気装置５との間で常時行っている通信のうち同通信を一時的に遮断して静電霧化装置２からリモコン装置７への信号に切換えるタイミングを決める切換えタイミング決定手段が設けてあり、タイミング決定手段で決定されたタイミングで信号経路切換え手段８を切換えて換気装置５からのリモコン装置７への信号を一時的に遮断して静電霧化装置２からのリモコン装置７に信号を送信するようになっている。
【００３４】
ここで、静電霧化装置２からの送信のタイミングは、換気装置５からリモコン装置７に送信されるスタートビット、データビット、ストップビットよりなる信号の１セットの終了をタイミング決定手段により認識することで決定されるものであり、これにより、換気装置５からの信号が１セット分リモコン装置７に正確に送られてはじめて、静電霧化装置２からリモコン装置７に信号が送られることになって、換気装置５からリモコン装置７に正確に情報を送りながら、且つ、静電霧化装置２からリモコン装置７に信号を送ることができるようになっている。
【００３５】
リモコン装置７には複数の操作スイッチ９が設けてあり、複数の操作スイッチ９としては少なくとも、カビシャット用の操作スイッチ９ａと、乾燥用の操作スイッチ９ｂと、連続換気用の操作スイッチ９ｃとを備えている。
【００３６】
カビシャット用の操作スイッチ９ａをオン操作すると、リモコン装置７から換気装置５を経て静電霧化装置２に電源が入っているかという問い合わせ信号が静電霧化装置２の制御部４のマイコン４ａに入力され、静電霧化装置２の電源スイッチ１７がオンとなっていると、信号経路切換え手段８が切換えられて電源オンの信号が静電霧化装置２からリモコン装置７に送られ、この信号を受けてリモコン装置７から換気装置５の制御部にカビシャット連動運転モードで換気装置５を運転するための運転信号が送られると共に該換気装置５を介して静電霧化装置２の制御部４のマイコン４ａにカビシャット連動運転モードにより静電霧化装置２を運転するための運転信号が送られ、該運転信号に基いて、換気装置５がカビシャット連動運転モードで運転されると共に、静電霧化装置２がカビシャット連動運転モードで運転される。
【００３７】
このカビシャット連動運転モードによる運転は、図９に示すように、まず、換気装置５によりファン３７を強運転すると共に切換え部３６を図８（ａ）のように流入部３３から換気装置５内に流入した排気を全部排気部３４に排気するように切換え制御して換気運転を行う（この間、静電霧化装置２は運転を行わない）ことで、浴室１のドアの隙間などから脱衣室３９内の空気を浴室１内に吸い込むと共に浴室１内の空気を換気装置５に吸い込み、排気を外部に排気し、この換気運転を１時間行った後、換気装置５の運転を排気・循環運転に自動的に切換えて運転すると共に、静電霧化装置２により静電霧化運転を行う。上記排気・循環運転はファン３７を強運転すると共に切換え部３６を図８（ｂ）のように流入部３３から換気装置５内に流入した排気の一部を排気部３４から外部に排気すると共に排気の他の一部を返送部３５から浴室１内に再び戻すように切換え制御する。これにより、浴室１のドアの隙間などから脱衣室３９内の空気を浴室１内に吸い込むと共に浴室１内の空気を換気装置５に吸い込み、排気の一部を外部に排気すると共に、他の一部を浴室１内に返送して浴室１内で循環させる運転となる。
【００３８】
このように、換気装置５の運転開始から１時間遅延して静電霧化装置２の運転を行うことで、浴室１という水がかかったり、あるいは、高湿度により、静電霧化装置２の対向電極２６、液印加電極２７に付着した水を乾燥して、安定して且つ安全に静電霧化ができることになる。しかも、静電霧化装置２の運転に先だって換気装置５を換気運転することで、換気装置５を始めから換気・循環運転する場合に比べて静電霧化装置２の乾燥が効果的に行え、乾燥後に静電霧化装置２を運転する際には換気装置５の運転を排気・循環運転に切換えることで、浴室１内に放出されたナノサイズのミストが換気装置５により排気される際、排気の一部を再び浴室１に戻して循環させることで、ナノサイズのミストが外部に排出されにくく、浴室１内を乾燥させながら、ナノサイズのミストを浴室１内の隅々まで循環させて、活性種を含有するナノサイズのミストにより浴室内の空気の脱臭及び室内壁面等に付着した臭いを除去し、更に、カビの発生を効果的に防止することができるものである。
【００３９】
換気装置５による上記排気・循環運転は、静電霧化装置２の運転が終了した後、遅延させ（例えば５分遅延させ）て排気・循環運転を終了するように制御されるようになっている。つまり、静電霧化装置２でナノサイズのミストを発生させる際に、オゾンが発生する可能性があるが、静電霧化装置２の運転の運転の終了よりも遅延して排気・循環運転が終了するように制御することで、発生したオゾンを浴室１から外部に排出することができ、上記カビシャットモードの運転後に、浴室１内を入浴のために利用する際、浴室１内にオゾンが残留して、入浴する人にオゾンによる悪影響を与えないようにしている。
【００４０】
ところで、上記のように換気装置５をまずファン３７強運転による換気運転で１時間運転し、その後、換気装置５の運転を排気・循環運転に切換えて運転するに当たり、浴室１内の湿度や温度をセンサ（図示せず）により検出し、この湿度や温度の検出結果に基き、湿度が高い場合など、加熱手段６をオンにして排気・循環運転の初期に加熱手段６によって排気の一部を加熱して浴室１内に返送すると共にその後の排気・循環運転においては加熱手段６をオフにして排気の一部を浴室１内に返送するように制御したり、あるいは、湿度や温度の検出結果に基き、湿度が低い場合など、加熱手段６をオフにして排気・循環運転を加熱することなく冷風の状態で浴室１内に返送するように制御するものである。
【００４１】
これにより、静電霧化装置２、浴室１内をより効果的に乾燥できて、浴室１内が高湿度の場合であっても対応できるものであり、また、加熱排気を返送して浴室１内の湿度が低下すると加熱手段６をオフにして排気の一部を浴室１内に返送するので、少ないエネルギーコストで効果的に静電霧化装置２を乾燥し且つナノサイズのミストを浴室１内の隅々まで飛散させて効果的に浴室内の臭い除去、カビの発生防止を行うことができるものである。
【００４２】
一方、静電霧化装置２の電源スイッチ１７がオフの時に、カビシャット用の操作スイッチ９ａをオン操作すると、リモコン装置７から換気装置５を経て静電霧化装置２に電源が入っているかという問い合わせ信号が静電霧化装置２の制御部４のマイコン４ａに入力されるが、静電霧化装置２に電源が入っていないので、信号経路切換え手段８が切換えられることがなくて電源オンの信号が静電霧化装置２からリモコン装置７に送られることはなく、したがって、この場合はリモコン装置７から換気装置５の制御部にカビシャット単独運転モードで換気装置５を運転するための運転信号が送られる。
【００４３】
このカビシャット単独運転モードによる運転は、まず、図９に示すように、換気装置５のファン３７を強運転すると共に切換え部３６を図８（ａ）のように流入部３３から換気装置５内に流入した排気を全部排気部３４に排気するように切換えるように制御して換気運転を１時間行って浴室１内の乾燥を行い、１時間経過後に、換気装置５の運転を切換え部３６はそのままにしてファン３７を弱運転にして換気運転する。ここで、換気装置５をまず換気運転で１時間強運転し、その後、換気装置５の運転を換気弱運転に切換えて運転するに当たり、浴室１内の湿度や温度をセンサ（図示せず）により検出し、この湿度や温度の検出結果に基き、湿度が高い場合など、加熱手段６をオンにして１時間の換気強運転の後に加熱手段６をオフにして排気の一部を浴室１内に返送する排気・循環運転を一定時間行い、その後、換気弱運転に切換えるようにしてもよい。
【００４４】
次に、乾燥用の操作スイッチ９ｂをオン操作すると、リモコン装置７から換気装置５を経て静電霧化装置２に電源が入っているかという問い合わせ信号が静電霧化装置２の制御部４のマイコン４ａに入力され、静電霧化装置２の電源スイッチ１７がオンの時には、信号経路切換え手段８が切換えられて電源オンの信号が静電霧化装置２からリモコン装置７に送られ、この信号を受けてリモコン装置７から換気装置５の制御部に乾燥連動運転モードで換気装置５を運転するための運転信号が送られると共に該換気装置５を介して静電霧化装置２の制御部４のマイコン４ａに乾燥連動運転モードにより静電霧化装置２を運転するための運転信号が送られ、該運転信号に基いて、換気装置５が乾燥連動運転モードで運転されると共に、静電霧化装置２が乾燥連動運転モードで運転される。
【００４５】
この乾燥連動運転モードによる運転は、浴室１内に洗濯物を干して乾燥させる際の運転であり、図１０に示すように、まず、換気装置５によりファン３７を強運転すると共に、切換え部３６を図８（ｂ）のように流入部３３から換気装置５内に流入した排気の一部を排気部３４から外部に排気すると共に排気の他の一部を返送部３５から浴室１内に再び戻すように切換えるように制御し、更に加熱手段６をオンにすることで、排気の一部を加熱して浴室１内に返送しながら浴室１内を乾燥する排気・循環運転を行うことで、浴室１内及び換気装置５の乾燥を行う。この排気の一部を加熱して浴室１内に返送しながら浴室１内を乾燥する排気・循環運転を１５分行った後、上記換気装置５の排気・循環運転に連動して静電霧化装置２の静電霧化運転を行う。
【００４６】
このように、排気の一部を加熱して浴室１内に返送しながら浴室１内を乾燥する排気・循環運転を行うことで浴室１、静電霧化装置２の乾燥を短時間で行うことができ、更に、排気の一部を加熱して浴室１内に返送しながら浴室１内を乾燥する排気・循環運転を１５分行った後に、該排気の一部を加熱して浴室１内に返送しながら浴室１内を乾燥する排気・循環運転と連動して静電霧化装置２により浴室１内にナノサイズのミストを放出することで、浴室１内に放出されたナノサイズのミストが換気装置５により排気される際、排気の一部を加熱して再び浴室１に戻して循環させることで、ナノサイズのミストが外部に排出されにくく、浴室１内を乾燥させながら、加熱された温度の高い循環空気流に乗ってナノサイズのミストを浴室１内の隅々まで循環させて、活性種を含有するナノサイズのミストにより浴室内の空気の脱臭、室内壁面等に付着した臭いの除去、浴室１内で乾燥させている洗濯物の臭いを除去し、更に、浴室１内におけるカビの発生、洗濯物のカビの発生を効果的に防止することができるものである。
【００４７】
換気装置５による上記排気・循環運転は、静電霧化装置２の運転が終了した後、遅延させ（例えば５分遅延させ）て排気・循環運転を終了するように制御されるようになっている。
【００４８】
一方、静電霧化装置２の電源スイッチ１７がオフの時に、乾燥用の操作スイッチ９ｂをオン操作すると、リモコン装置７から換気装置５を経て静電霧化装置２に電源が入っているかという問い合わせ信号が静電霧化装置２の制御部４のマイコン４ａに入力されるが、静電霧化装置２に電源が入っていないので、信号経路切換え手段８が切換えられることがなくて電源オンの信号が静電霧化装置２からリモコン装置７に送られることはなく、したがって、この場合はリモコン装置７から換気装置５の制御部に乾燥単独運転モードで換気装置５を運転するための運転信号が送られる。
【００４９】
この乾燥単独運転モードによる運転は、浴室１内に洗濯物を干して乾燥させるための運転であり、図１０に示すように、換気装置５によりファン３７を強運転すると共に、切換え部３６を図８（ａ）のように流入部３３から換気装置５内に流入した排気の一部を排気部３４から外部に排気すると共に排気の他の一部を返送部３５から浴室１内に再び戻すように切換えるように制御し、更に加熱手段６をオンにすることで、排気の一部を加熱して浴室１内に返送しながら浴室１内を乾燥する排気・循環運転を行うことで、浴室１内及び換気装置５の乾燥を行う。
【００５０】
また、連続換気用の操作スイッチ９ｃをオン操作すると、換気装置５のみが連続換気運転で運転される。この連続換気運転は切換え部３６を図８（ａ）のように流入部３３から換気装置５内に流入した排気を全部排気部３４に排気するように切換えるように制御すると共にファン３７を弱運転する。これにより浴室１のドアの隙間などから脱衣室３９内の空気を浴室内に吸い込むと共に浴室１内の空気を換気装置５から外部に排気する運転を連続して行う。この場合、静電霧化装置２の電源スイッチ１７がオンとなっていても換気装置５のみが連続換気運転を行い、この場合、静電霧化装置２は運転しない。
【００５１】
ところで、連続換気用の操作スイッチ９ｃをオンにして連続換気運転で運転している最中に、カビシャット用の操作スイッチ９ａや乾燥用の操作スイッチ９ｂをオン操作すると、連続換気運転が中断されて、上記したカビシャットモードや乾燥モードの運転に切換えられ、カビシャットモードや乾燥モードの運転がタイマー等により終わると、再び連続換気運転に自動的に切替るようになっている。
【００５２】
ここで、リモコン装置７に追加運転用のスイッチ９ｄを設け、この追加運転用のスイッチ９ｄを操作することで、タイマー等で終了時期が決められる上記カビシャットモードや乾燥モードの本来の運転終了時間後に更に、カビシャットモードや乾燥モードでの運転を所定時間継続できるようにしている。これにより、カビシャットモードや乾燥モードでの運転から、入浴までの間の時間が長い場合等、浴室１内を継続して乾燥させることができ、カビの発生防止を図ることができるものである。
【００５３】
ところで、対向電極２６、静電霧化装置２の内部の液印加電極２７を配置した部分は静電霧化装置２の上面の放出口２３と、前面の前面通気用開口部３２とで外部に連通しており、上記のように乾燥手段３を浴室１の換気をする換気装置５により構成すると、換気装置５の運転で浴室１を流れる空気流が、放出口２３→静電霧化装置２の内部の液印加電極２７を配置した部分→前面通気用開口部３２という流れ、又は、前面通気用開口部３２→静電霧化装置２の内部の液印加電極２７を配置した部分→放出口２３という流れとなって、静電霧化装置２の内部の液印加電極２７を配置した部分を効果的に乾燥できるものである。
【図面の簡単な説明】
【００５４】
【図１】本発明の概略斜視図である。
【図２】同上に用いる静電霧化装置の斜視図である。
【図３】（ａ）は同上の放電ユニットを取り外した状態の斜視図であり、（ｂ）は更に液溜め部を取り外した状態の斜視図である。
【図４】同上の静電霧化装置の分解斜視図である。
【図５】同上の静電霧化装置の平断面図である。
【図６】同上の静電霧化装置の縦断面図である
【図７】同上の制御ブロック図である。
【図８】（ａ）（ｂ）は同上の換気装置における切換え部の切換えを示す説明図である。
【図９】同上のカビシャット運転モードについての説明図である。
【図１０】同上の乾燥運転モードについての説明図である。
【符号の説明】
【００５５】
２  静電霧化装置
２４  液溜め部
２５  搬送部
２６  対向電極
２７  液印加電極
４０  高電圧発生部
５０  過電流検知手段
５１  出力低下手段
【図１】
2005224730.tif 000003
【図２】
2005224730.tif 000004
【図３】
2005224730.tif 000005
【図４】
2005224730.tif 000006
【図５】
2005224730.tif 000007
【図６】
2005224730.tif 000008
【図７】
2005224730.tif 000009
【図８】
2005224730.tif 000010
【図９】
2005224730.tif 000011
【図１０】
2005224730.tif 000012